(57)【特許請求の範囲】
【請求項１】
外向きの第１取付片と室内側向きの第２取付片を有し、その第２取付片に取付用孔が形成された上枠、下枠、左右の縦枠を方形枠状に連結した半外付けタイプの窓枠を、固定枠内に挿入して内付けして取付けした窓であって、
前記上枠の第１取付片が切断して除去され、その上枠の外側面と固定枠の上横材との間に上枠アタッチメントを設け、
前記下枠の第１取付片が切断して除去され、その下枠の外側面と固定枠の下横材との間に下枠アタッチメントを設け、
前記縦枠の第１取付片が切断して除去され、その縦枠の外側面と固定枠の縦材との間に縦枠アタッチメントを設け、
前記上枠、下枠、縦枠の各第２取付片の取付用孔から挿入したビスを、固定枠の上横材、下横材、縦材にそれぞれ螺合して上枠、下枠、縦枠を上枠アタッチメント、下枠アタッチメント、縦枠アタッチメントを介して前記上横材、下横材、縦材の内側面に取付けした窓であって、
前記上枠アタッチメントは、室内外側方向に向かう外側横板と、この外側横板の室内側部に設けた室内側垂下板と、この室内側垂下板の下部に室外側に向けて設けた内側横板を備え、この外側横板を上枠の外側面に水密材を介在して接すると共に、内側横板を第２取付片に重ね合わせ、その第２取付片の取付用孔を挿入したビスを前記内側横板、外側横板を貫通して上横材に螺合して固着することで、前記外側横板と上枠の外側面との間を、前記水密材で水密し、
前記下枠アタッチメントは、室内外側方向に向かう外側横板と、この外側横板の室内側部に設けた室内側上向板と、この室内側上向板の上部に室外側に向けて設けた内側横板を備え、この外側横板を下枠の外側面に水密材を介在して接すると共に、内側横板を第２取付片に重ね合わせ、その第２取付片の取付用孔を挿入したビスを前記内側横板、外側横板を貫通して下横材に螺合して固着することで、前記外側横板と下枠の外側面との間を、前記水密材で水密し、
前記縦枠アタッチメントは、室内外側方向に向かう外側横板と、この外側横板の室内側部に設けた室内側内向板と、この室内側内向板の内部に室外側に向けて設けた内側横板を備え、この外側横板を縦枠の外側面に水密材を介在して接すると共に、その内側横板を第２取付片に重ね合わせ、その第２取付片の取付用孔を挿通したビスを前記内側横板、外側横板を貫通して縦材に螺合して固着することで、前記外側横板と縦枠の外側面との間を、前記水密材で水密したことを特徴とする窓。
【請求項２】
外向きの第１取付片と室内側向きの第２取付片を有し、その第２取付片に取付用孔が形成された上枠、下枠、左右の縦枠を方形枠状に連結した半外付けタイプの窓枠を、固定枠内に挿入して内付けして取付けした窓であって、
前記上枠の第１取付片が切断して除去され、その上枠の外側面に上枠アタッチメントを設け、
前記下枠の第１取付片が切断して除去され、その下枠の外側面に下枠アタッチメントを設け、
前記縦枠の第１取付片が切断して除去され、その縦枠の外側面に縦枠アタッチメントを設け、
この縦枠アタッチメントと前記上枠アタッチメント、下枠アタッチメントをビスで連結して方形状のアタッチメント枠とすることでアタッチメント付き窓枠とし、
このアタッチメント付き窓枠が固定枠に挿入され、各第２取付片の取付用孔から挿入したビスを、固定枠の上横材、下横材、縦材にそれぞれ螺合して上枠、下枠、縦枠を上枠アタッチメント、下枠アタッチメント、縦枠アタッチメントを介して前記上横材、下横材、縦材の内側面に取付けした窓であって、
前記上枠アタッチメントは、室内外側方向に向かう外側横板と、この外側横板の室内側部に設けた室内側垂下板と、この室内側垂下板の下部に室外側に向けて設けた内側横板を備え、この外側横板を上枠の外側面に水密材を介在して接すると共に、内側横板を第２取付片に重ね合わせ、その第２取付片の取付用孔を挿入したビスを前記内側横板、外側横板を貫通して上横材に螺合して固着することで、前記外側横板と上枠の外側面との間を、前記水密材で水密し、
前記下枠アタッチメントは、室内外側方向に向かう外側横板と、この外側横板の室内側部に設けた室内側上向板と、この室内側上向板の上部に室外側に向けて設けた内側横板を備え、この外側横板を下枠の外側面に水密材を介在して接すると共に、内側横板を第２取付片に重ね合わせ、その第２取付片の取付用孔を挿入したビスを前記内側横板、外側横板を貫通して下横材に螺合して固着することで、前記外側横板と下枠の外側面との間を、前記水密材で水密し、
前記縦枠アタッチメントは、室内外側方向に向かう外側横板と、この外側横板の室内側部に設けた室内側内向板と、この室内側内向板の内部に室外側に向けて設けた内側横板を備え、この外側横板を縦枠の外側面に水密材を介在して接すると共に、その内側横板を第２取付片に重ね合わせ、その第２取付片の取付用孔を挿通したビスを前記内側横板、外側横板を貫通して縦材に螺合して固着することで、前記外側横板と縦枠の外側面との間を、前記水密材で水密したことを特徴とする窓。
【請求項３】
上枠アタッチメントの外側横板、下枠アタッチメントの外側横板と、縦枠アタッチメントの外側横板の一方、又は両方に、第２取付片の取付用孔と相対向したガイド凹部を形成した請求項１又は２記載の窓。
【請求項４】
上枠と上枠アタッチメントとに、相互に接することで上枠アタッチメントを室内外側方向に位置決めする位置決め部をそれぞれ設け、
下枠と下枠アタッチメントとに、相互に接することで下枠アタッチメントを室内外側方向に位置決めする位置決め部をそれぞれ設け、
縦枠と縦枠アタッチメントとに、相互に接することで縦枠アタッチメントを室内外側方向に位置決めする位置決め部をそれぞれ設けた請求項１又は２記載の窓。
【発明の詳細な説明】
【技術分野】
【０００１】
本発明は、半外付けタイプの窓枠を固定枠に内付けして取付けした窓に関する。
【背景技術】
【０００２】
窓としては、窓枠に、障子、ガラス、ルーバーなどの面材を取付けした片上げ下げ窓、両上げ下げ窓、内倒し窓、外倒し窓、横辷り出し窓、縦辷り出し窓、ダブルガラスルーバー窓、オーニング窓などの種々の窓が知られている。
前記窓の窓枠としては、半外付けタイプの窓枠、内付けタイプの窓枠が知られている。
例えば、特許文献１に開示された半外付けタイプの窓枠が知られている。
具体的には、窓枠を構成する上枠、下枠、左右の縦枠を、その室内外側方向中間部に外向きの第１取付片を有すると共に、室内側部に室内側向きの第２取付片を有するものとし、その第１取付片を窓取付開口の室外側面に固着具で固着すると共に、第２取付片を窓取付開口の内面に固着具で固着して窓枠の室内側部分が窓取付開口内に位置すると共に、窓枠の室外側部分が窓取付開口よりも室外側に張り出して取付ける。
また、特許文献２に開示された内付けタイプの窓枠が知られている。
具体的には、窓枠を構成する上枠、左右の縦枠の面内方向の外側面を平坦面とし、内周面が平坦な固定枠内に窓枠を挿入して固着して取付けている。
【０００３】
【特許文献１】実公平１−２６８５７号公報
【特許文献２】特公平３−２６２７５号公報
【発明の開示】
【発明が解決しようとする課題】
【０００４】
前述のように、半外付けタイプの窓枠の外周側部分と内付けタイプの窓枠の外周側部分の形状は相違し、その半外付けタイプの窓枠を固定枠に内付けして取付けできない。
【０００５】
本発明の目的は、半外付けタイプの窓枠を固定枠に内付けして取付けできる窓を提供することである。
【課題を解決するための手段】
【０００６】
第１の発明は、外向きの第１取付片と室内側向きの第２取付片を有し、その第２取付片に取付用孔が形成された上枠、下枠、左右の縦枠を方形枠状に連結した半外付けタイプの窓枠を、固定枠内に挿入して内付けして取付けした窓であって、
前記上枠の第１取付片が切断して除去され、その上枠の外側面と固定枠の上横材との間に上枠アタッチメントを設け、
前記下枠の第１取付片が切断して除去され、その下枠の外側面と固定枠の下横材との間に下枠アタッチメントを設け、
前記縦枠の第１取付片が切断して除去され、その縦枠の外側面と固定枠の縦材との間に縦枠アタッチメントを設け、
前記上枠、下枠、縦枠の各第２取付片の取付用孔から挿入したビスを、固定枠の上横材、下横材、縦材にそれぞれ螺合して上枠、下枠、縦枠を上枠アタッチメント、下枠アタッチメント、縦枠アタッチメントを介して前記上横材、下横材、縦材の内側面に取付けした窓であって、
前記上枠アタッチメントは、室内外側方向に向かう外側横板と、この外側横板の室内側部に設けた室内側垂下板と、この室内側垂下板の下部に室外側に向けて設けた内側横板を備え、この外側横板を上枠の外側面に水密材を介在して接すると共に、内側横板を第２取付片に重ね合わせ、その第２取付片の取付用孔を挿入したビスを前記内側横板、外側横板を貫通して上横材に螺合して固着することで、前記外側横板と上枠の外側面との間を、前記水密材で水密し、
前記下枠アタッチメントは、室内外側方向に向かう外側横板と、この外側横板の室内側部に設けた室内側上向板と、この室内側上向板の上部に室外側に向けて設けた内側横板を備え、この外側横板を下枠の外側面に水密材を介在して接すると共に、内側横板を第２取付片に重ね合わせ、その第２取付片の取付用孔を挿入したビスを前記内側横板、外側横板を貫通して下横材に螺合して固着することで、前記外側横板と下枠の外側面との間を、前記水密材で水密し、
前記縦枠アタッチメントは、室内外側方向に向かう外側横板と、この外側横板の室内側部に設けた室内側内向板と、この室内側内向板の内部に室外側に向けて設けた内側横板を備え、この外側横板を縦枠の外側面に水密材を介在して接すると共に、その内側横板を第２取付片に重ね合わせ、その第２取付片の取付用孔を挿通したビスを前記内側横板、外側横板を貫通して縦材に螺合して固着することで、前記外側横板と縦枠の外側面との間を、前記水密材で水密したことを特徴とする窓である。
【０００７】
第２の発明は、外向きの第１取付片と室内側向きの第２取付片を有し、その第２取付片に取付用孔が形成された上枠、下枠、左右の縦枠を方形枠状に連結した半外付けタイプの窓枠を、固定枠内に挿入して内付けして取付けした窓であって、
前記上枠の第１取付片が切断して除去され、その上枠の外側面に上枠アタッチメントを設け、
前記下枠の第１取付片が切断して除去され、その下枠の外側面に下枠アタッチメントを設け、
前記縦枠の第１取付片が切断して除去され、その縦枠の外側面に縦枠アタッチメントを設け、
この縦枠アタッチメントと前記上枠アタッチメント、下枠アタッチメントをビスで連結して方形状のアタッチメント枠とすることでアタッチメント付き窓枠とし、
このアタッチメント付き窓枠が固定枠に挿入され、各第２取付片の取付用孔から挿入したビスを、固定枠の上横材、下横材、縦材にそれぞれ螺合して上枠、下枠、縦枠を上枠アタッチメント、下枠アタッチメント、縦枠アタッチメントを介して前記上横材、下横材、縦材の内側面に取付けした窓であって、
前記上枠アタッチメントは、室内外側方向に向かう外側横板と、この外側横板の室内側部に設けた室内側垂下板と、この室内側垂下板の下部に室外側に向けて設けた内側横板を備え、この外側横板を上枠の外側面に水密材を介在して接すると共に、内側横板を第２取付片に重ね合わせ、その第２取付片の取付用孔を挿入したビスを前記内側横板、外側横板を貫通して上横材に螺合して固着することで、前記外側横板と上枠の外側面との間を、前記水密材で水密し、
前記下枠アタッチメントは、室内外側方向に向かう外側横板と、この外側横板の室内側部に設けた室内側上向板と、この室内側上向板の上部に室外側に向けて設けた内側横板を備え、この外側横板を下枠の外側面に水密材を介在して接すると共に、内側横板を第２取付片に重ね合わせ、その第２取付片の取付用孔を挿入したビスを前記内側横板、外側横板を貫通して下横材に螺合して固着することで、前記外側横板と下枠の外側面との間を、前記水密材で水密し、
前記縦枠アタッチメントは、室内外側方向に向かう外側横板と、この外側横板の室内側部に設けた室内側内向板と、この室内側内向板の内部に室外側に向けて設けた内側横板を備え、この外側横板を縦枠の外側面に水密材を介在して接すると共に、その内側横板を第２取付片に重ね合わせ、その第２取付片の取付用孔を挿通したビスを前記内側横板、外側横板を貫通して縦材に螺合して固着することで、前記外側横板と縦枠の外側面との間を、前記水密材で水密したことを特徴とする窓である。
【００１０】
第１・第２の発明においては、各水密材は各第１取付片を切断して除去した部分に設けると共に、その水密材部分において上枠と外側横板、下枠と外側横板をビスで固着することが好ましい。
このようにすれば、水密性が向上する。
【００１１】
第１・第２の発明においては、その上枠アタッチメントの外側横板、下枠アタッチメントの外側横板と、縦枠アタッチメントの外側横板の一方、又は両方に、第２取付片の取付用孔と相対向したガイド凹部を形成することができる。
【００１２】
このようにすれば、外側横板にビスが挿通するビス挿通孔を明ける際に、穴明け工具を第２取付片の取付用孔から挿入してガイド凹部に入れ、そのガイド凹部で工具が振れ動くことがないようにガイドしながらガイド穴を明けることができる。
よって、第２取付片と外側横板との間隔が大きく、穴明け工具が長尺となった場合でも外側横板にビス挿通孔を正確に穴明けできる。
【００１３】
第１・第２の発明においては、上枠と上枠アタッチメントとに、相互に接することで上枠アタッチメントを室内外側方向に位置決めする位置決め部をそれぞれ設け、
下枠と下枠アタッチメントとに、相互に接することで下枠アタッチメントを室内外側方向に位置決めする位置決め部をそれぞれ設け、
縦枠と縦枠アタッチメントとに、相互に接することで縦枠アタッチメントを室内外側方向に位置決めする位置決め部をそれぞれ設けることができる。
【００１４】
このようにすれば、上枠アタッチメント、下枠アタッチメント、縦枠アタッチメントが上枠、下枠、縦枠の所定の位置に正しく取付けできる。
【発明の効果】
【００１５】
第１の発明によれば、半外付けタイプの窓枠の各第１取付片を切断して除去し、その上枠、下枠、縦枠の外側面と固定枠の上横材、下横材、縦材との間に上枠アタッチメント、下枠アタッチメント、縦枠アタッチメントを設け、上枠、下枠、縦枠の各第２取付片の取付用孔からビスを固定枠の上横材、下横材、縦材に螺合することで内付けして取付けできる。
よって、半外付けタイプの窓枠を固定枠に内付けして取付けできる。
また、上枠、下枠、縦枠を半外付けするための第２取付片の取付用孔を挿通したビスにより固定枠に固定しているから、上枠、下枠、縦枠を取付けるビスの室内外側方向の位置を同一にできる。
第２の発明によれば、半外付けタイプの窓枠の各第１取付片を切断して除去した後に、その上枠、下枠に上枠アタッチメント、下枠アタッチメントを設け、縦枠に設けた縦枠アタッチメントと上枠・下枠アタッチメントをビスで連結してアタッチメント枠とすることでアタッチメント付き窓枠とし、そのアタッチメント付き窓枠を固定枠内に挿入し、各第２取付片の取付用孔からビスを固定枠の上横材、下横材、縦材に螺合することで内付けして取付けできる。
よって、半外付けタイプの窓枠をアタッチメント枠を用いて固定枠に内付けして取付けできると共に、その作業が簡単である。
また、上枠、下枠、縦枠を半外付けするための第２取付片の取付用孔を挿通したビスにより固定枠に固定しているから、上枠、下枠、縦枠を取付けるビスの室内外側方向の位置を同一にできる。
第１．第２の発明によれば、ビスの締付力で第２取付片が内側横板に押しつけられ、その第２取付片がビス締付力で変形することを防止できる。
また、室内側垂下板、室内側立上り板、室内側内向板が上枠、下枠、縦枠の第２取付片に接しているから、固定枠の内周面と各第２取付片との間の空隙部分を室内側垂下板、室内側立上り板、室内側内向板で閉塞される。
また、上枠の外側面と上枠アタッチメントの外側横板との間、下枠の外側面と下枠アタッチメントの外側横板との間、縦枠の外側面と縦枠のアタッチメントの外側横板との間が、それぞれ水密材で水密されているので、窓枠とアタッチメント枠との間から雨水等が浸入することを防止できる。
【発明を実施するための最良の形態】
【００１６】
図１と図２に示すように、半外付けタイプの窓枠１を構成する上枠２、下枠３、左右の縦枠４は、その室内外側方向中間部に面内方向の外側に向かう外向きの第１取付片２ａ，３ａ，４ａを有すると共に、その室内側部に室内側向きの第２取付片２ｂ，３ｂ，４ｂを有している。
前記各第１取付片２ａ，３ａ，４ａは切断して除去してあるので、その切断して除去した部分を仮想線で図示してある。なお、切断して除去するとは、カッタ等により切断して除去すること、ペンチ等で折り取って除去することなどである。
前記各第２取付片２ｂ，３ｂ，４ｂには取付用孔２ｃ，３ｃ，４ｃがそれぞれ形成してあり、半外付けタイプとして取付ける場合には、この取付用孔２ｃ，３ｃ，４ｃを挿通した固着具を窓取付開口の内面に固着するようにしてある。
【００１７】
前記上枠２の面内方向の外側面２ｄに上枠アタッチメント５が設けてある。この実施の形態では上枠アタッチメント５がビス６で固着して取付けてある。これに限ることはなく、外側面２ｄに接するように設けただけでも良い。
前記下枠３の面内方向の外側面３ｄに下枠アタッチメント７が設けてある。この実施の形態では下枠アタッチメント７がビス８で固着して取付けてある。これに限ることはなく、外側面３ｄに接するように設けただけでも良い。
前記左右の縦枠４の面内方向の外側面４ｄに縦枠アタッチメント９がそれぞれ設けてある。
この各アタッチメント５，７，９を方形枠状に連結してアタッチメント枠とし、窓枠１の外周側部分にアタッチメント枠を有したアタッチメント付き窓枠としてある。
例えば、図３に示すように、左右の縦枠アタッチメント９からビス９ａを、上枠アタッチメント５のビスホール５ａ、下枠アタッチメント７のビスホール７ａに螺合して方形枠状のアタッチメント枠としてある。
【００１８】
このアタッチメント付き窓枠を固定枠１０内に挿入し、図１、図２に示すように内付けして取付ける。
前記固定枠１０は、上横材１１と下横材１２と左右の縦材１３で方形枠状で、その上横材１１、下横材１２、左右の縦材１３の面内方向の内側面１１ａ，１２ａ，１３ａは凸部のない平坦面であり、固定枠１０の内周面は平坦面である。
これにより、前述のアタッチメント付き窓枠を固定枠１０内に室外側から室内側に向けて挿入できる。
【００１９】
前記上枠２の第２取付片２ｂの取付用孔２ｃから上枠取付用のビス２０を上横材１１に螺合して上枠２を上枠アタッチメント５を介して上横材１１に固着する。
つまり、ビス２０の締付力で上枠アタッチメント５が上横材１１の内側面１１ａに押しつけられ、その上枠アタッチメント５に上枠２が押しつけられることで、上枠２が上枠アタッチメント５を介して上横材１１に固着される。
前記下枠３の第２取付片３ｂの取付用孔３ｃから下枠取付用のビス２１を下横材１２に螺合して下枠３を下枠アタッチメント７を介して下横材１２に固着する。
つまり、ビス２１の締付力で下枠アタッチメント７が下横材１２の内側面１２ａに押しつけられ、その下枠アタッチメント７に下枠３が押しつけられることで、下枠３が下枠アタッチメント７を介して下横材１２に固着される。
前記縦枠４の第２取付片４ｂの取付用孔４ｃから縦枠取付用のビス２２を縦材１３に螺合して縦枠４を縦枠アタッチメント９を介して縦材１３に固着する。
つまり、ビス２２の締付力で縦枠アタッチメント９が縦材１３の内側面１３ａに押しつけられ、その縦枠アタッチメント９に縦枠４が押しつけられることで、縦枠４が縦枠アタッチメント９を介して縦材１３に固着される。
【００２０】
このようであるから、上枠アタッチメント５と下枠アタッチメント７と縦枠アタッチメント９を上枠２、下枠３、縦枠４の外側面２ｄ，３ｄ，４ｄにそれぞれ設け、この上枠、下枠アタッチメント５，７と縦枠アタッチメント９をビスで連結してアタッチメント枠とし、上枠２，下枠３、左右の縦枠４を固定枠１０の上横材１１、下横材１２，縦材１３にビス２０，２１，２２でそれぞれ固着することで半外付けタイプの窓枠を固定枠１０内に内付けして取付けできる。
よって、その取付け作業が簡単である。
【００２１】
この実施の形態は、窓の上部と下部に嵌め殺し窓部１４を有する風除室を構成している。
具体的には、前記固定枠１０を構成する左右の縦材１３は上横材１１、下横材１２よりも上方、下方に張り出し、その左右の縦材１３の上端部間に取付用上横材１５、下端部間に取付用下横材１６が連結してある。
そして、取付用上横材１５と上横材１１と左右の縦材１３で上方の枠部を形成し、前記取付用下横材１６と下横材１２と左右の縦材１３で下方の枠部を形成し、その各枠部にパネル１７を装着してある。
これに限ることはなく、固定枠１０はストアフロント、テラス囲いに用いるものでも良いし、建物躯体の窓取付用開口でも良い。
また、この実施の形態ではアタッチメント付窓枠を固定枠１０内に挿入して取付けしたが、アタッチメントを固定枠１０内に設けた後に窓枠１を挿入して取付けるようにしても良い。
つまり、上枠２の外側面２ｄと上横材１１の内側面１１ａとの間に上枠アタッチメント５を設けてビス２０で取付け、下枠３の外側面３ｄと下横材１２の内側面１２ａとの間に下枠アタッチメント７を設けてビス２１で取付け、縦枠４の外側面４ｄと縦材１３の内側面１３ａとの間に縦枠アタッチメント９を設けてビス２２で取付けすれば良い。
【００２２】
前記上枠アタッチメント５は図４に示すように、室内外側方向に向かう外側横板５０と、この外側横板５０の室内側部に設けた室内側垂下板５１と、この室内側垂下板５１の下部に室外側に向けて設けた内側横板５２を備え、その外側横板５０の室内側寄りに前述のビスホール５ａと下向きのガイド凹部５３が形成され、このガイド凹部５３はビスホール５ａよりも室外側寄りで、前記内側横板５２はガイド凹部５３と対向している。
この上枠アタッチメント５と上枠２は、その上枠アタッチメント５を室内外側方向に位置決めする位置決め部をそれぞれ有する。例えば、上枠２の外側面２ｄにおける室内外側方向中間部に室内側に向かう突片２ｅが形成してある。前記上枠アタッチメント５の外側横板５０の室内外側方向中間部に室外側に向かう垂下片５４が設けてある。前記内側横板５２はクランク形状に折曲して段部５２ａを有する。
前記垂下片５４を突片２ｅに当接すると共に、段部５２ａを第２取付片２ｂに当接することで上枠アタッチメント５が室内外側方向に位置決めされる。つまり、突片２ｅ、第２取付片２ｂが上枠２の位置決め部で、垂下片５４と段部５２ａが上枠アタッチメント５の位置決め部である。
これによって、前記上枠２の第２取付片２ｂと内側横板５２が室内外側方向に重なり合い、かつ取付用孔２ｃが内側横板５２、ガイド凹部５３と相対向する。
【００２３】
前記上枠２の外側面２ｄと上枠アタッチメント５（外側横板５０）の接する部分には水密材５５が設けてあり、前述のようにビス２０を締め付けることで水密材５５によって水密される。
この水密材５５を設ける部分は、前記第１取付片２ａを切断して除去した部分である。これに限ることはなく、他の部分でも良い。
【００２４】
このようであるから、ビス２０の締付力で第２取付片２ｂが内側横板５２に押しつけられ、その第２取付片２ｂがビス締付力で変形することを内側横板５２で防止できる。
また、上枠アタッチメント５を上枠２の外側面２ｄに前述のように位置決めて接した状態で、面外方向外側からビス６を外側横板５０を挿通して上枠２に螺合して連結する。このビス６は前述の突片２ｅよりも室外側寄りである。このビス６は前記水密材５５を貫通し、そのビス６部分が水密される。また、上横材１１の内側面１１ａの室外側部と上枠アタッチメント５との接触部は水密材５６で水密される。
また、上枠２の第２取付片２ｂの取付用孔２ｃからビス２０を上横材１１に螺合する際に、上枠アタッチメント５の外側横板５０、内側横板５２をビス２０が挿通するので、その外側横板５０、内側横板５２にビス挿通孔を明ける。
例えば、ドリルなどの穴明け工具を取付用孔２ｃから挿入して内側横板５２にビス挿通孔を明け、さらに穴明け工具を挿通してガイド凹部５３の底部にビス挿通孔を明ける。
このようであるから、外側横板５０が第２取付片２ｂと離隔していても、穴明け工具の先端部をガイド凹部５３でガイドしながら穴明けでき、その穴明け工具が振れれ動くことがなく、正確に穴明けできる。
また、内側横板５２の穴明け部をＶ字状に折曲して穴を明け易いようにしてある。
【００２５】
前記下枠アタッチメント７は図５に示すように、室内外側方向に向かう外側横板７０と、この外側横板７０の室内側部に設けた室内側上向板７１と、この室内側上向板７１の上部に室外側に向けて設けた内側横板７２を備え、その外側横板７０の室内側寄りに前述のビスホール７ａと上向きのガイド凹部７３が形成され、このガイド凹部７３はビスホール７ａよりも室外側寄りで、前記内側横板７２はガイド凹部７３と対向している。
この下枠アタッチメント７と下枠３は、その下枠アタッチメント７を室内外側方向に位置決めする位置決め部をそれぞれ有する。例えば、下枠３の室外側下面に鉤形の垂下片３ｅを形成し、下枠アタッチメント７の外側横板７０の室外側部に鉤形の立上り片７４を設け、前記内側横板７２はクランク形状に折曲して段部７２ａを有する。
前記立上り片７４を垂下片３ｅに当接すると共に、段部７２ａに第２取付片３ｂを接して下枠アタッチメント７が室内外側方向に位置決めされる。つまり、垂下片３ｅと第２取付片３ｂが下枠３の位置決め部で、立上り片７４と段部７２ａが下枠アタッチメント７の位置決め部である。
これによって、前記下枠３の第２取付片３ｂと下枠アタッチメント７の内側横板７２が室内外側方向に重なり合い、かつ取付用孔３ｃが内側横板７２、ガイド凹部７３と相対向する。
【００２６】
前記下枠３の外側面３ｄと下枠アタッチメント７（外側横板７０）の接する部分には水密材７５が設けてあり、前述のようにビス２１を締め付けることで水密材７５によって水密される。
この水密材７５を設ける部分は、前記第１取付片３ａを切断して除去した部分である。これに限ることはなく、他の部分でも良い。
【００２７】
このようであるから、ビス２１の締付力で第２取付片３ｂが内側横板７２に押しつけられ、その第２取付片３ｂがビス締付力で変形することを内側横板７２で防止できる。
また、下枠アタッチメント７を下枠３の外側面３ｄに前述のように位置決めて接した状態で、面外方向外側からビス８を螺合して連結する。このビス８は前記水密材７５を貫通し、そのビス７５部分が水密される。また、下横材１２の内側面１２ａの室外側寄りと下枠アタッチメント７との接触部分は水密材７６で水密される。
また、下枠３の第２取付片３ｂの取付用孔３ｃからビス２１を上横材１２に螺合する際に、下枠アタッチメント７の外側横板７０、内側横板７２をビス２１が挿通するので、その外側横板７０、内側横板７２にビス挿通孔を明ける。
例えば、ドリルなどの穴明け工具を取付用孔３ｃから挿入して内側横板７２にビス挿通孔を明け、さらに穴明け工具を挿通してガイド凹部７３の底部にビス挿通孔を明ける。
このようであるから、外側横板７０が第２取付片３ｂと離隔していても、穴明け工具の先端部をガイド凹部７３でガイドしながら穴明けでき、その穴明け工具が振れれ動くことがなく、正確に穴明けできる。
また、内側横板７２の穴明け部をＶ字状に折曲して穴を明け易いようにしてある。
【００２８】
前記縦枠アタッチメント９は図６に示すように、室内外側方向に向かう外側横板９０と、この外側横板９０の室内側に設けた室内側内向板９１と、この室内側内向板９１の内部に室外側に向けて設けた内側横板９２を備えている。この縦枠アタッチメント９の外側横板９０にはガイド凹部が形成されていないが、これは内側横板９２と外側横板９０の間隔が狭いためで、上枠・下枠アタッチメント５，７のように広ければガイド凹部を形成することができる。
この縦枠アタッチメント９と縦枠４は、その縦枠アタッチメント９を室内外側方向に位置決めする位置決め部をそれぞれ有する。例えば、縦枠４の室外側部に係止片４ｅを設け、縦枠アタッチメント９の外側横板９０の室外側部に鉤形片９４を設け、内側横板９２をクランク形状として段部９２ａを有する。
前記鉤形片９４を係止片４ｅに係止すると共に、内側横板９２の段部９２ａを第２取付片４ｂに接することで縦枠アタッチメント９が室内外側方向に位置決めされる。
つまり、係止片４ｅと第２取付片４ｂが縦枠４の位置決め部で、鉤形片９４と段部９２ａが縦枠アタッチメント９の位置決め部である。
これによって、前記縦枠４の第２取付片４ｂと内側横板９２が室内外側方向に重なり合い、かつ取付用孔４ｃが内側横板９２と相対向する。
【００２９】
前記縦枠４の外側面４ｄと縦アタッチメント９（外側縦板９０）の接する部分には水密材９６が設けてあり、前述のようにビス２２を締め付けることで水密材９６で水密される。
この水密材９６を設ける部分は、前記第１取付片４ａを切断して除去した部分で、その第１取付片４の残存した突起４ｇが水密材９６に接するようにしてある。これに限ることはなく、他の部分に設けても良い。
【００３０】
このようであるから、縦枠アタッチメント９を縦枠４の外側面４ｄに前述のように位置決めて接した状態で、前述のように上枠アタッチメント５、下枠アタッチメント７と方形枠状にビス９ａで連結する。
また、ビス２２の締付力で第２取付片４ｂが内側横板９２に押しつけられ、その第２取付片４ｂがビス締付力で変形することを内側横板９２で防止できる。
また、ビス２２の締付力で前述の突起４ｇと水密材９６が接して縦枠４の外側面４ｄと縦枠アタッチメント９（外側横板９０）との間を水密する。
また、縦枠４の第２取付片４ｂの取付用孔４ｃからビス２２を縦材１３に螺合する際に、縦枠アタッチメント９の外側横板９０、内側横板９２をビス２２が挿通するので、その外側横板９０、内側横板９２にビス挿通孔を明ける。
例えば、ドリルなどの穴明け工具を取付用孔４ｃから挿入して内側横板９２にビス挿通孔を明け、さらに穴明け工具を挿通して外側横板９０にビス挿通孔を明ける。
【００３１】
また、鉤形片９４と係止片４ｅがしっかりと係合して外れないようにするために、縦枠アタッチメント９の外側横板９０に斜めのガイド片９５を設け、縦枠４の外向片４ｆがガイド片９５に接することで鉤形片９４と係止片４ｅがしっかりと係合するようにしてある。なお、アタッチメント枠を固定枠１０内に取付けた後に窓枠１を取付ける場合には、前記突起４ｇと前記外向片４ｆは設けないようにする。
【００３２】
次に、種類の異なる窓の窓枠を同一の上枠アタッチメント５、下枠アタッチメント７、縦枠アタッチメント９を用いて、同一の固定枠１０に取付けできるようにすることを説明する。
図１，図２に示す窓は片上げ下げ窓で、その窓枠１の上枠２、下枠３、左右の縦枠４の面内方向の内側面を片上げ下げ窓に対向した形状とし、その窓枠１の内周側部分を片上げ下げ窓に対向した形状としてある。
また、前記窓枠１の上枠２、下枠３、左右の縦枠４の面内方向の外側面の形状（つまり、窓枠１の外周側部分の形状）を、第１取付片２ａ，３ａ，４ａ、第２取付片２ｂ，３ｂ，４ｂを有し、上枠アタッチメント５、下枠アタッチメント７、縦枠アタッチメント９を取付けできる形状としてある。
そして、片上げ下げ窓以外の窓の場合には、その上枠、下枠、左右の縦枠の面内方向の内側面の形状（窓枠１の内周側部分の形状）を、その窓種に対向した形状とし、上枠、下枠、左右の縦枠の面内方向の外側面の形状（窓枠１の外周側部分の形状）を第１・第２取付片を有し、前述の上枠アタッチメント、下枠アタッチメント、縦枠アタッチメントを取付けできる形状とすれば良い。
【００３３】
例えば、内倒し窓の場合には図７、図８に示すように、窓枠１の上枠２、下枠３、左右の縦枠４の面内方向の内側面の形状を内倒し窓と対応した形状とし、面内方向の外側面の形状を、第１取付片２ａ，３ａ，４ａと第２取付片２ｂ，３ｂ，４ｂを有すると共に、その形状、大きさ、第１取付片２ａ，３ａ，４ａと第２取付片２ｂ，３ｂ，４ｂとの室内外側方向の寸法を前述の図１、図２に示すものと同一とすることで、図１、図２に示す上枠アタッチメント５、下枠アタッチメント７、縦枠アタッチメント９を同様に取付けできるようにする。
外倒し窓の場合には、図９、図１０に示すように、窓枠１の上枠２、下枠３、左右の縦枠４の面内方向の内側面の形状を外倒し窓に対応した形状とし、面内方向の外側面の形状を前述と同一とする。
【００３４】
このようにすれば、上枠アタッチメント５、下枠アタッチメント７、縦枠アタッチメント９を共通として、半外付けタイプの窓枠を有した片上げ下げ窓、内倒し窓、外倒し窓を、同一の固定枠１０内に挿入して内付けして取付けできる。
【図面の簡単な説明】
【００３５】
【図１】本発明の実施の形態を示す窓の縦断面図である。
【図２】本発明の実施の形態を示す窓の横断面図である。
【図３】窓枠とアタッチメントの分解斜視図である。
【図４】上枠と上枠アタッチメントの拡大説明図である。
【図５】下枠と下枠アタッチメントの拡大説明図である。
【図６】縦枠と縦枠アタッチメントの拡大説明図である。
【図７】内倒し窓の実施の形態を示す窓の縦断面図である。
【図８】内倒し窓の実施の形態を示す窓の横断面図である。
【図９】外倒し窓の実施の形態を示す窓の縦断面図である。
【図１０】外倒し窓の実施の形態を示す窓の横断面図である。
【符号の説明】
【００３６】
１…窓枠、２…上枠、２ａ…第１取付片、２ｂ…第２取付片、２ｃ…取付用孔、２ｄ…外側面、３…下枠、３ａ…第１取付片、３ｂ…第２取付片、３ｃ…取付用孔、３ｄ…外側面、４…縦枠、４ａ…第１取付片、４ｂ…第２取付片、４ｃ…取付用孔、４ｄ…外側面、５…上枠アタッチメント、６…ビス、７…下枠アタッチメント、８…ビス、９…縦枠アタッチメント、１０…固定枠、１１…上横材、１２…下横材、１３…縦材、２０…ビス、２１…ビス、２２…ビス、５０…外側横板、５１…室内側垂下板、５２…内側横板、５３…ガイド凹部、７０…外側横板、７１…室内側立上り板、７２…内側横板、７３…ガイド凹部、９０…外側横板、９１…室内側内向板、９２…内側横板。
【図１】
0004632251.tif 000002
【図２】
0004632251.tif 000003
【図３】
0004632251.tif 000004
【図４】
0004632251.tif 000005
【図５】
0004632251.tif 000006
【図６】
0004632251.tif 000007
【図７】
0004632251.tif 000008
【図８】
0004632251.tif 000009
【図９】
0004632251.tif 000010
【図１０】
0004632251.tif 000011